(57)【要約】【課題】幹線ケーブルと分岐線ケーブルとの接続部を鼠の食害から保護できる分岐付きケーブルを提供する。【解決手段】第一の導体と前記第一の導体の外周に配置される第一の絶縁層とを有する幹線ケーブルと、第二の導体と前記第二の導体の外周に配置される第二の絶縁層とを有し、前記幹線ケーブルの長手方向の途中で前記幹線ケーブルに一端側が電気的に接続される分岐線ケーブルと、金属を含む材料で構成され、前記幹線ケーブルと前記分岐線ケーブルとの接続部の外周を被覆する保護カバーとを備える分岐付きケーブル。【選択図】図１
2020028205.tif 000002
【特許請求の範囲】
【請求項１】
第一の導体と前記第一の導体の外周に配置される第一の絶縁層とを有する幹線ケーブルと、
第二の導体と前記第二の導体の外周に配置される第二の絶縁層とを有し、前記幹線ケーブルの長手方向の途中で前記幹線ケーブルに一端側が電気的に接続される分岐線ケーブルと、
金属を含む材料で構成され、前記幹線ケーブルと前記分岐線ケーブルとの接続部の外周を被覆する保護カバーとを備える分岐付きケーブル。
【請求項２】
前記保護カバーは、シート材及びテープ材の少なくとも一方が前記接続部に巻き付けられて構成されている請求項１に記載の分岐付きケーブル。
【請求項３】
前記保護カバーは、メッシュ材で構成されている請求項１又は請求項２に記載の分岐付きケーブル。
【請求項４】
前記幹線ケーブルは、金属を含む材料で構成され、前記第一の絶縁層の外周に配置される第一の保護層を備え、
前記第一の保護層は、前記接続部で前記第一の導体を露出するように形成された一端及び他端を備え、
前記保護カバーは、前記第一の保護層の一端及び他端と電気的に接続されている請求項１から請求項３のいずれか１項に記載の分岐付きケーブル。
【請求項５】
前記保護カバーは、
前記第一の保護層の一端に重なる一端被覆部と、
前記第一の保護層の他端に重なる他端被覆部とを備える請求項４に記載の分岐付きケーブル。
【請求項６】
前記一端被覆部及び前記他端被覆部をそれぞれ前記第一の保護層の一端及び前記第一の保護層の他端に固定する固定部を備える請求項５に記載の分岐付きケーブル。
【請求項７】
前記分岐線ケーブルは、金属を含む材料で構成され、前記第二の絶縁層の外周に配置される第二の保護層を備え、
前記第二の保護層は、前記接続部で前記第二の導体を露出するように形成された端部を備え、
前記保護カバーは、前記第二の保護層の端部と電気的に接続されている請求項１から請求項６のいずれか１項に記載の分岐付きケーブル。
【請求項８】
前記幹線ケーブルは、金属を含む材料で構成され、前記第一の絶縁層の外周に配置される第一の保護層を備え、
前記第一の保護層は、前記接続部で前記第一の導体を露出するように形成された一端及び他端を備え、
前記分岐線ケーブルは、金属を含む材料で構成され、前記第二の絶縁層の外周に配置される第二の保護層を備え、
前記第二の保護層は、前記接続部で前記第二の導体を露出するように形成された端部を備え、
前記保護カバーは、
前記第一の保護層の一端及び前記第二の保護層の端部を一括して被覆する分岐側端部と、
前記第一の保護層の他端を被覆する基端側端部とを備える請求項１から請求項３のいずれか１項に記載の分岐付きケーブル。
【請求項９】
前記分岐側端部を前記第一の保護層の一端及び前記第二の保護層の端部に固定する分岐側固定部と、
前記基端側端部を前記第一の保護層の端部に固定する基端側固定部とを備える請求項８に記載の分岐付きケーブル。
【請求項１０】
絶縁性材料で構成され、前記接続部の外周を被覆する絶縁被覆部を備え、
前記保護カバーは、前記絶縁被覆部の外周に設けられている請求項１から請求項９のいずれか１項に記載の分岐付きケーブル。
【請求項１１】
前記絶縁被覆部は、前記接続部にテープ材が巻き付けられて構成されている請求項１０に記載の分岐付きケーブル。
【請求項１２】
前記保護カバーを覆う樹脂モールド部を備える請求項１から請求項１１のいずれか１項に記載の分岐付きケーブル。
【請求項１３】
前記第一の導体及び前記第二の導体は、銅又は銅合金からなる請求項１から請求項１２のいずれか１項に記載の分岐付きケーブル。
【請求項１４】
前記第一の導体と前記第二の導体とは、互いに異種金属からなる請求項１から請求項１２のいずれか１項に記載の分岐付きケーブル。
【請求項１５】
前記第一の導体は、アルミニウム又はアルミニウム合金からなり、
前記第二の導体は、銅又は銅合金からなる請求項１４に記載の分岐付きケーブル。
【請求項１６】
前記接続部では前記第一の導体と前記第二の導体との間に介在される導電性の介在部材を備え、
前記介在部材は、
前記第一の導体との接触面が、前記第二の導体の構成金属と異なる金属からなり、
前記第二の導体との接触面が、前記第一の導体の構成金属と異なる金属からなる請求項１４又は請求項１５に記載の分岐付きケーブル。
【発明の詳細な説明】
【技術分野】
【０００１】
本開示は、分岐付きケーブルに関する。
【背景技術】
【０００２】
特許文献１には、絶縁線心（ケーブルコア）の外周に設けられる内部被覆と、ケーブルの最外層に設けられる外部被覆との間にステンレステープが巻き付けられた防鼠ケーブルが開示されている。この防鼠ケーブルは、ステンレステープにより、ケーブルコアを鼠の食害から保護できる。
【０００３】
一方、特許文献２には、幹線ケーブルと、幹線ケーブルに電気的に接続される分岐線ケーブルとを備える分岐付きケーブルが開示されている。
【先行技術文献】
【特許文献】
【０００４】
【特許文献１】特開２００５−３４６９９６号公報
【特許文献２】特開２００５−３５４７５８号公報
【発明の概要】
【発明が解決しようとする課題】
【０００５】
特許文献１に記載の防鼠ケーブルを分岐付きケーブルの幹線ケーブルや分岐線ケーブルに適用することが検討されている。しかし、分岐付きケーブルにおいて、幹線ケーブルと分岐線ケーブルとの接続部を鼠の食害から保護する技術が、現在確立されていない。
【０００６】
そこで、本開示は、幹線ケーブルと分岐線ケーブルとの接続部を鼠の食害から保護できる分岐付きケーブルを提供することを目的の一つとする。
【課題を解決するための手段】
【０００７】
本開示に係る分岐付きケーブルは、
第一の導体と前記第一の導体の外周に配置される第一の絶縁層とを有する幹線ケーブルと、
第二の導体と前記第二の導体の外周に配置される第二の絶縁層とを有し、前記幹線ケーブルの長手方向の途中で前記幹線ケーブルに一端側が電気的に接続される分岐線ケーブルと、
金属を含む材料で構成され、前記幹線ケーブルと前記分岐線ケーブルとの接続部の外周を被覆する保護カバーとを備える。
【発明の効果】
【０００８】
上記分岐付きケーブルは、幹線ケーブルと分岐線ケーブルとの接続部を鼠の食害から保護できる。
【図面の簡単な説明】
【０００９】
【図１】実施形態１に係る分岐付きケーブルを示す概略構成図である。
【図２】実施形態１に係る分岐付きケーブルに備える第一の導体と第二の導体との接続部分を示す概略拡大構成図である。
【図３】実施形態１に係る分岐付きケーブルに備える幹線ケーブルの概略断面図である。
【図４】実施形態２に係る分岐付きケーブルに備える第一の導体と第二の導体との接続工程の一部を示す概略拡大構成図である。
【図５】実施形態２に係る分岐付きケーブルに備える第一の導体と第二の導体との接続部分を示す概略拡大構成図である。
【発明を実施するための形態】
【００１０】
［実施形態の説明］
最初に本開示の実施形態の内容を列記して説明する。
【００１１】
（１）本開示の実施形態に係る分岐付きケーブルは、
第一の導体と前記第一の導体の外周に配置される第一の絶縁層とを有する幹線ケーブルと、
第二の導体と前記第二の導体の外周に配置される第二の絶縁層とを有し、前記幹線ケーブルの長手方向の途中で前記幹線ケーブルに一端側が電気的に接続される分岐線ケーブルと、
金属を含む材料で構成され、前記幹線ケーブルと前記分岐線ケーブルとの接続部の外周を被覆する保護カバーとを備える。
【００１２】
上記分岐付きケーブルは、幹線ケーブルと分岐線ケーブルとの接続部の外周に、金属を含む材料で構成される保護カバーを備えるため、接続部を鼠の食害から保護できる。
【００１３】
（２）上記分岐付きケーブルの一例として、
前記保護カバーは、シート材及びテープ材の少なくとも一方が前記接続部に巻き付けられて構成されていることが挙げられる。
【００１４】
保護カバーがシート材やテープ材の巻き付けによって構成されることで、接続部の外周に保護カバーを配置し易い。シート材で構成される保護カバーは、幅広である。そのため、シート材で構成される保護カバーは、一度に広範囲に亘って接続部を覆い易く、シート材の巻き付け作業を簡素化し易い。一方、テープ材で構成される保護カバーは、シート材に比較して幅が狭い。そのため、テープ材で構成される保護カバーは、接続部を小さな範囲ごとにテープ材で覆うことができ、テープ材の巻き付け具合を調整し易い。このテープ材の巻き付け具合を調整することで、接続部に保護カバーを密着させ易く、保護カバーの大型化を抑制し易い。また、テープ材の巻き付け具合を調整することで、接続部に対して保護カバーを強固に被覆し易い。
【００１５】
（３）上記分岐付きケーブルの一例として、
前記保護カバーは、メッシュ材で構成されていることが挙げられる。
【００１６】
保護カバーがメッシュ材で構成されることで、保護カバーの可撓性を向上し易い。よって、分岐付きケーブルの曲げに接続部が対応し易い。また、保護カバーがメッシュ状のシート材やテープ材の巻き付けによって構成される場合、接続部の外周に保護カバーを巻き付け易い。更に、保護カバーがメッシュ材で構成されることで、メッシュ材でない場合に比較して、保護カバーを軽量化し易い。
【００１７】
（４）上記分岐付きケーブルの一例として、
前記幹線ケーブルは、金属を含む材料で構成され、前記第一の絶縁層の外周に配置される第一の保護層を備え、
前記第一の保護層は、前記接続部で前記第一の導体を露出するように形成された一端及び他端を備え、
前記保護カバーは、前記第一の保護層の一端及び他端と電気的に接続されていることが挙げられる。
【００１８】
幹線ケーブルに第一の保護層を備えることで、幹線ケーブルのケーブルコア（第一の導体及び第一の絶縁層）自体を鼠の食害から保護できる。幹線ケーブルに第一の保護層を備える場合、接続部では、第一の保護層が除去される。保護カバーは、第一の保護層が除去された領域に設けられる。このとき、保護カバーと第一の保護層とが電気的に接続されることで、保護カバーと第一の保護層とを等電位にできる。保護カバーと第一の保護層とが等電位であることで、保護カバー及び第一の保護層を容易に接地できる。
【００１９】
（５）幹線ケーブルに第一の保護層を備える上記分岐付きケーブルの一例として、
前記保護カバーは、
前記第一の保護層の一端に重なる一端被覆部と、
前記第一の保護層の他端に重なる他端被覆部とを備えることが挙げられる。
【００２０】
保護カバーが、第一の保護層の一端及び他端のそれぞれに重なって設けられることで、保護カバーと第一の保護層とを容易に電気的に接続できる。
【００２１】
（６）幹線ケーブルに第一の保護層を備え、保護カバーが第一の保護層の端部に重なる端部を備える上記分岐付きケーブルの一例として、
前記一端被覆部及び前記他端被覆部をそれぞれ前記第一の保護層の一端及び前記第一の保護層の他端に固定する固定部を備えることが挙げられる。
【００２２】
固定部を備えることで、保護カバーと第一の保護層との電気的な接続状態を強固に確保できる。
【００２３】
（７）上記分岐付きケーブルの一例として、
前記分岐線ケーブルは、金属を含む材料で構成され、前記第二の絶縁層の外周に配置される第二の保護層を備え、
前記第二の保護層は、前記接続部で前記第二の導体を露出するように形成された端部を備え、
前記保護カバーは、前記第二の保護層の端部と電気的に接続されていることが挙げられる。
【００２４】
分岐線ケーブルに第二の保護層を備えることで、分岐線ケーブルのケーブルコア（第二の導体及び第二の絶縁層）自体を鼠の食害から保護できる。分岐線ケーブルに第二の保護層を備える場合、接続部では、第二の保護層が除去される。保護カバーは、第二の保護層が除去された領域に設けられる。このとき、保護カバーと第二の保護層とが電気的に接続されることで、保護カバーと第二の保護層とを等電位にできる。保護カバーと第二の保護層とが等電位であることで、保護カバー及び第二の保護層を容易に接地できる。
【００２５】
（８）上記分岐付きケーブルの一例として、
前記幹線ケーブルは、金属を含む材料で構成され、前記第一の絶縁層の外周に配置される第一の保護層を備え、
前記第一の保護層は、前記接続部で前記第一の導体を露出するように形成された一端及び他端を備え、
前記分岐線ケーブルは、金属を含む材料で構成され、前記第二の絶縁層の外周に配置される第二の保護層を備え、
前記第二の保護層は、前記接続部で前記第二の導体を露出するように形成された端部を備え、
前記保護カバーは、
前記第一の保護層の一端及び前記第二の保護層の端部を一括して被覆する分岐側端部と、
前記第一の保護層の他端を被覆する基端側端部とを備えることが挙げられる。
【００２６】
幹線ケーブルに第一の保護層を備えることで、幹線ケーブルのケーブルコア自体を鼠の食害から保護できる。幹線ケーブルに第一の保護層を備える場合、接続部では、第一の保護層が除去される。また、分岐線ケーブルに第二の保護層を備えることで、分岐線ケーブルのケーブルコア自体を鼠の食害から保護できる。分岐線ケーブルに第二の保護層を備える場合、接続部では、第二の保護層が除去される。保護カバーは、第一の保護層及び第二の保護層が除去された領域に設けられる。このとき、保護カバーは、第一の保護層の一端及び第二の保護層の端部を一括して被覆すると共に、第一の保護層の他端を被覆する。この構成によれば、単一の保護カバーによって、保護カバーと第一の保護層と第二の保護層とを電気的に接続した状態で、接続部の外周を被覆することができる。保護カバーと第一の保護層と第二の保護層とが電気的に接続されることで、保護カバーと第一の保護層と第二の保護層とを等電位にでき、保護カバーと第一の保護層と第二の保護層とを容易に接地できる。
【００２７】
（９）幹線ケーブルに第一の保護層を備え、かつ分岐線ケーブルに第二の保護層を備える上記分岐付きケーブルの一例として、
前記分岐側端部を前記第一の保護層の一端及び前記第二の保護層の端部に固定する分岐側固定部と、
前記基端側端部を前記第一の保護層の端部に固定する基端側固定部とを備えることが挙げられる。
【００２８】
分岐側固定部を備えることで、保護カバーと第一の保護層の一端と第二の保護層との電気的な接続状態を強固に確保できる。また、基端側固定部を備えることで、保護カバーと第一の保護層の他端との電気的な接続状態を強固に確保できる。
【００２９】
（１０）上記分岐付きケーブルの一例として、
絶縁性材料で構成され、前記接続部の外周を被覆する絶縁被覆部を備え、
前記保護カバーは、前記絶縁被覆部の外周に設けられていることが挙げられる。
【００３０】
幹線ケーブルと分岐線ケーブルとの接続部は、第一の導体と第二の導体との接続箇所を備える。よって、これら導体同士の接続箇所と保護カバーとの間に絶縁被覆部を備えることで、各ケーブルの導体と保護カバーとを電気的に絶縁できる。
【００３１】
（１１）絶縁被覆部を備える上記分岐付きケーブルの一例として、
前記絶縁被覆部は、前記接続部にテープ材が巻き付けられて構成されていることが挙げられる。
【００３２】
絶縁被覆部がテープ材の巻き付けによって構成されることで、接続部の外周に絶縁被覆部を配置し易い。テープ材で構成される絶縁被覆部は、比較的幅が狭い。そのため、テープ材で構成される絶縁被覆部は、接続部を小さな範囲ごとにテープ材で覆うことができ、テープ材の巻き付け具合を調整し易い。このテープ材の巻き付け具合を調整することで、接続部に絶縁被覆部を密着させ易く、絶縁被覆部の大型化を抑制し易い。また、テープ材の巻き付け具合を調整することで、接続部に対して絶縁被覆部を強固に被覆し易い。
【００３３】
（１２）上記分岐付きケーブルの一例として、
前記保護カバーを覆う樹脂モールド部を備えることが挙げられる。
【００３４】
保護カバーを樹脂モールド部で覆うことで、保護カバーを外部環境から保護できる。
【００３５】
（１３）上記分岐付きケーブルの一例として、
前記第一の導体及び前記第二の導体は、銅又は銅合金からなることが挙げられる。
【００３６】
第一の導体及び第二の導体が銅又は銅合金からなることで、導電率の高い分岐付きケーブルを得易い。また、上記両導体が銅又は銅合金からなることで、端末処理が行い易く、作業性に優れる分岐付きケーブルを得易い。
【００３７】
（１４）上記分岐付きケーブルの一例として、
前記第一の導体と前記第二の導体とは、互いに異種金属からなることが挙げられる。
【００３８】
第一の導体と第二の導体とが互いに異種金属からなることで、第一の導体と第二の導体の組み合わせの自由度が高い分岐付きケーブルを得易い。
【００３９】
（１５）第一の導体と第二の導体とが互いに異種金属からなる上記分岐付きケーブルの一例として、
前記第一の導体は、アルミニウム又はアルミニウム合金からなり、
前記第二の導体は、銅又は銅合金からなることが挙げられる。
【００４０】
第一の導体がアルミニウム又はアルミニウム合金からなることで、軽量な分岐付きケーブルを得易い。一方、第二の導体が銅又は銅合金からなることで、分岐先の端末処理を行い易く、作業性に優れる分岐付きケーブルを得易い。
【００４１】
（１６）第一の導体と第二の導体とが互いに異種金属からなる上記分岐付きケーブルの一例として、
前記接続部では前記第一の導体と前記第二の導体との間に介在される導電性の介在部材を備え、
前記介在部材は、
前記第一の導体との接触面が、前記第二の導体の構成金属と異なる金属からなり、
前記第二の導体との接触面が、前記第一の導体の構成金属と異なる金属からなることが挙げられる。
【００４２】
第一の導体と第二の導体とが互いに異種金属からなる場合、第一の導体と第二の導体との接続部分に水分が浸入すると、電気腐食（電食）が生じ得る。そこで、第一の導体と第二の導体との間に上記介在部材が介在されることで、第一の導体と第二の導体との間の電食を防止できる。
【００４３】
［実施形態の詳細］
本開示の実施形態の詳細を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。図中の同一符号は、同一名称物を示す。
【００４４】
＜実施形態１＞
≪概要≫
図１〜図３に基づいて、実施形態１に係る分岐付きケーブル１を説明する。実施形態１に係る分岐付きケーブル１は、図１に示すように、幹線ケーブル２と、分岐線ケーブル３とを備える。幹線ケーブル２は、図３に示すように、第一の導体２１と、第一の導体２１の外周を被覆する第一の絶縁層２２とを備える。同様に、分岐線ケーブル３は、横断面図の図示を省略するが、第二の導体３１と、第二の導体３１の外周を被覆する第二の絶縁層３２とを備える（図２）。幹線ケーブル２は、図２に示すように、長手方向の途中で第一の絶縁層２２が剥がされ、第一の導体２１が露出されている。この第一の導体２１の露出領域が、第二の導体３１との接続領域となる。分岐線ケーブル３は、一端側において、第二の絶縁層３２が剥がされ、第二の導体３１が露出されている。露出された第一の導体２１と第二の導体３１とが電気的に接続される。実施形態１に係る分岐付きケーブル１は、幹線ケーブル２と分岐線ケーブル３との接続部１０（図１）に防鼠構造を備える点を特徴の一つとする。この防鼠構造は、具体的には、図１に示すように、金属を含む材料で構成され、上記接続部１０の外周を被覆する保護カバー６を備える。以下、分岐付きケーブル１の詳細な構成を説明する。なお、図１では、保護カバー６について、幹線ケーブル２と分岐線ケーブル３とを一括で被覆する側（図１の右側）では縦断面図を示し、幹線ケーブル２のみを被覆する側（図１の左側）では外観を示す。
【００４５】
≪幹線ケーブル≫
幹線ケーブル２は、図１及び図３に示すように、ケーブルコア２０Ａ，２０Ｂと、介在層２３と、ケーブルシース２４と、第一の保護層２５と、外部シース２６とを備える。この例では、二心のケーブルコア２０Ａ，２０Ｂを備える。二心のケーブルコア２０Ａ，２０Ｂは、同一構造を有し、互いに撚り合わされた撚線構造とされている。各ケーブルコア２０Ａ，２０Ｂは、第一の導体２１と、第一の導体２１の外周を被覆する第一の絶縁層２２とを備える（図３）。幹線ケーブル２の基本的な構成は、従来用いられている防鼠ケーブルの構成を適宜利用できる。
【００４６】
〔第一の導体〕
第一の導体２１は、銅又は銅合金からなることが挙げられる。銅（Ｃｕ）としては、タフピッチ銅（酸素を０．０２〜０．０５質量％含有し、残部がＣｕ及び不可避的不純物）といった純Ｃｕが利用できる。銅（Ｃｕ）合金としては、添加元素を含有し、残部がＣｕ及び不可避的不純物からなる種々の組成のものが利用できる。添加元素は、例えば、スズ（Ｓｎ）、ニッケル（Ｎｉ）、ケイ素（Ｓｉ）、鉄（Ｆｅ）、リン（Ｐ）、銀（Ａｇ）、クロム（Ｃｒ）、マグネシウム（Ｍｇ）、チタン（Ｔｉ）、コバルト（Ｃｏ）などから選択される１種以上が挙げられる。添加元素の合計含有量は、０．００５質量％以上１５質量％以下、更に０．０５質量％以上１０質量％以下が挙げられる。各元素の含有量としては、Ｓｎが０．００５質量％以上１０質量％以下、Ｎｉが０．００５質量％以上１０質量％以下などが挙げられる。このような合金として、例えば、Ｃｕ−Ｓｎ合金、Ｃｕ−Ｎｉ−Ｓｉ合金、Ｃｕ−Ｍｇ合金、Ｃｕ−Ｆｅ合金、Ｃｕ−Ａｇ合金、Ｃｕ−Ｃｏ−Ｐ合金などが挙げられる。
【００４７】
第一の導体２１は、上述したＣｕ又はＣｕ合金からなる単線、単線からなる素線を複数本撚り合わせた撚線、撚線を圧縮成形した圧縮線材などが挙げられる。第一の導体２１の断面形状は、円形や楕円形、矩形や六角形といった多角形などが挙げられる。この例では、第一の導体２１は、断面が円形の複数の素線を撚り合わせた撚線で構成される。
【００４８】
〔第一の絶縁層〕
第一の絶縁層２２は、例えば、ポリ塩化ビニル（ＰＶＣ）やポリエチレン（ＰＥ）、ノンハロゲン樹脂、又は難燃性に優れる絶縁性材料などで構成されることが挙げられる。第一の絶縁層２２の材質や厚さは、所望の絶縁強度を考慮して適宜選択することができる。
【００４９】
〔介在層〕
介在層２３は、ケーブルコア２０Ａ，２０Ｂを撚り合わせるときに、ケーブルを丸く仕上げるために、ケーブルコア２０Ａ，２０Ｂと一緒に撚り合わされる。この例では、撚り合わされた二心のケーブルコア２０Ａ，２０Ｂと後述するケーブルシース２４との隙間を埋めるように、ケーブルコア２０Ａ，２０Ｂの外周を被覆する。介在層２３は、例えば、ポリプロピレン（ＰＰ）で構成されることが挙げられる。
【００５０】
〔ケーブルシース〕
ケーブルシース２４は、介在層２３の外周を被覆する。ケーブルシース２４は、ケーブルコア２０Ａ，２０Ｂを後述する第一の保護層２５から保護するために設けられる。ケーブルシース２４は、例えば、ＰＶＣ、ノンハロゲン樹脂、又は難燃性に優れる絶縁性材料などで構成されることが挙げられる。
【００５１】
〔第一の保護層〕
第一の保護層２５は、ケーブルシース２４の外周を被覆し、後述する外部シース２６の内側に設けられる。第一の保護層２５は、ケーブルコア２０Ａ，２０Ｂを鼠の食害から保護するために設けられる。第一の保護層２５は、例えば、鉄やステンレス鋼などの鉄系金属材料で構成されることが挙げられる。
【００５２】
第一の保護層２５は、シート材やテープ材で構成されることが挙げられる。シート材やテープ材は、波付け加工が施されていてもよい。また、シート材やテープ材は、メッシュ材で構成されていてもよい。波付け加工が施されていたり、メッシュ材で構成されていたりするシート材やテープ材は、可撓性に優れる。そのため、このようなシート材やテープ材は、ケーブルシース２４の外周に沿って配置し易い。シート材やテープ材は、ケーブルシース２４の外周にらせん状に巻き付けられることが挙げられる。この場合、シート材やテープ材は重ね巻きされることが好ましい。他に、シート材やテープ材は、ケーブルシース２４の外周に縦添えされることが挙げられる。第一の保護層２５は、具体的には、亜鉛メッキが施された鉄テープ材がケーブルシース２４の外周にらせん状に巻き付けられて構成されることが挙げられる。
【００５３】
〔外部シース〕
外部シース２６は、第一の保護層２５の外周を被覆し、幹線ケーブル２の外観を構成する。外部シース２６は、例えば、ＰＶＣ、ノンハロゲン樹脂、又は難燃性に優れる絶縁性材料などで構成されることが挙げられる。
【００５４】
≪分岐線ケーブル≫
分岐線ケーブル３は、図１に示すように、ケーブルコア３０Ａ，３０Ｂと、介在層３３と、ケーブルシース３４と、第二の保護層３５と、外部シース３６とを備える。この例では、二心のケーブルコア３０Ａ，３０Ｂを備える。二心のケーブルコア３０Ａ，３０Ｂは、同一構造を有し、互いに撚り合わされた撚線構造とされている。各ケーブルコア３０Ａ，３０Ｂは、図２に示すように、第二の導体３１と、第二の導体３１の外周を被覆する第二の絶縁層３２とを備える。分岐線ケーブル３の基本的な構成は、幹線ケーブル２と実質的に同じである。
【００５５】
≪接続部≫
幹線ケーブル２と分岐線ケーブル３との接続部１０では、図１に示すように、幹線ケーブル２の長手方向の途中で幹線ケーブル２のケーブルコア２０Ａ，２０Ｂが露出される。具体的には、幹線ケーブル２は、外部シース２６、第一の保護層２５、ケーブルシース２４、及び介在層２３が段階的に剥がされて、ケーブルコア２０Ａ，２０Ｂが露出される。そして、図２に示すように、露出されたケーブルコア２０Ａ，２０Ｂの長手方向の途中で第一の絶縁層２２が剥がされて、第一の導体２１が露出される。また、上記接続部１０では、分岐線ケーブル３の一端側で分岐線ケーブル３のケーブルコア３０Ａ，３０Ｂが露出される（図１）。具体的には、分岐線ケーブル３は、外部シース３６、第二の保護層３５、ケーブルシース３４、及び介在層３３が段階的に剥がされて、ケーブルコア３０Ａ，３０Ｂが露出される。そして、露出されたケーブルコア３０Ａ，３０Ｂの長手方向の先端部で第二の絶縁層３２が剥がされて、第二の導体３１が露出される（図２）。この例では、幹線ケーブル２及び分岐線ケーブル３は、共に二心のケーブルコアを備える。そのため、露出された第一の導体２１と第二の導体３１とは、ケーブルコアごとに個別に接続される。
【００５６】
≪導体接続部≫
幹線ケーブル２の露出された第一の導体２１と分岐線ケーブル３の露出された第二の導体３１とは、図２に示すように、導体接続部４によって接続される。導体接続部４は、第一の導体２１と第二の導体３１とが電気的に接触した状態で、両導体２１，３１を圧縮して接続する圧縮部材４１を備える。圧縮部材４１としては、例えば、Ｃ型コネクタが挙げられる。圧縮部材４１は、圧縮接続する導体と直接的に接触する場合、その導体との間で電食が生じ難い金属からなる。この例では、第一の導体２１及び第二の導体３１が共にＣｕ又はＣｕ合金からなる。そして、圧縮部材４１は、第一の導体２１及び第二の導体３１の双方と直接的に接触する。そのため、圧縮部材４１は、Ｃｕ、Ｃｕ合金、Ｎｉ、Ｎｉ合金、Ｓｎ、Ｓｎ合金、Ａｕ、Ａｕ合金、Ａｇ、Ａｇ合金のいずれか１種からなることが挙げられる。この例では、圧縮部材４１は、Ｃｕ又はＣｕ合金からなる。
【００５７】
この例では、圧縮部材４１で接続された第一の導体２１及び第二の導体３１を覆うように、第一の絶縁層２２と第二の絶縁層３２とに亘って絶縁部材４３が設けられている。絶縁部材４３は、例えば、ＰＶＣやＰＥ、ノンハロゲン樹脂、又は難燃性に優れる絶縁性材料などで構成されることが挙げられる。絶縁部材４３を備えることで、露出された第一の導体２１と第二の導体３１とを外部環境から保護できる。絶縁部材４３は、絶縁性材料で構成されるテープ材を巻き付けて構成されることが挙げられる。
【００５８】
≪絶縁被覆部≫
この例では、接続部１０の外周を被覆する絶縁被覆部５を備える（図１）。絶縁被覆部５は、幹線ケーブル２の露出されたケーブルコア２０Ａ，２０Ｂと分岐線ケーブル３の露出されたケーブルコア３０Ａ，３０Ｂとを覆う。具体的には、絶縁被覆部５は、露出された第一の保護層２５の一端２５ａ及び他端２５ｂと露出された第二の保護層３５の端部３５ａとに亘って設けられている。このとき、絶縁被覆部５は、第一の保護層２５の一端２５ａ及び他端２５ｂの一部に重なるように設けられる。また、絶縁被覆部５は、第二の保護層３５の端部３５ａの一部に重なるように設けられる。つまり、絶縁被覆部５を設けた状態で、第一の保護層２５の一端２５ａ及び他端２５ｂには絶縁被覆部５に覆われていない露出領域を有し、かつ第二の保護層３５の端部３５ａにも絶縁被覆部５に覆われていない露出領域を有する。この露出領域は、後述する保護カバー６に被覆される。絶縁被覆部５を備えることで、導体接続部４と後述する保護カバー６とを電気的に絶縁できる。絶縁被覆部５は、幹線ケーブル２と分岐線ケーブル３との間に隙間が形成されないように設けられる。
【００５９】
絶縁被覆部５は、絶縁性材料で構成されるテープ材を巻き付けて構成されることが挙げられる。絶縁被覆部５がテープ材の巻き付けによって構成されることで、接続部１０の外周に絶縁被覆部５を配置し易い。テープ材で構成される絶縁被覆部５は、比較的幅が狭い。そのため、テープ材で構成される絶縁被覆部５は、接続部１０を小さな範囲ごとにテープ材で覆うことができ、テープ材の巻き付け具合を調整し易い。このテープ材の巻き付け具合を調整することで、接続部１０に絶縁被覆部５を密着させ易く、絶縁被覆部５の大型化を抑制し易い。また、テープ材の巻き付け具合を調整することで、接続部１０に対して絶縁被覆部５を強固に被覆し易い。
【００６０】
≪保護カバー≫
保護カバー６は、幹線ケーブル２と分岐線ケーブル３との接続部１０の外周を被覆し、接続部１０を鼠の食害から保護する部材である。保護カバー６は、金属を含む材料で構成される。金属を含む材料とは、保護カバー６中に金属を５０質量％以上含む材料である。なお、金属は、保護カバー６中に均一的に存在する。
【００６１】
保護カバー６は、例えば、ステンレス鋼などの鉄系金属を含む材料で構成されることが挙げられる。鉄系金属を含むことで、接続部１０を鼠の食害から効果的に保護できる。保護カバー６は、全体が金属からなる材料で構成されてもよいし、金属と非金属とを複合した複合材料で構成されてもよい。複合材料としては、例えば、金属繊維と非金属繊維との編組材、織布又は不織布などが挙げられる。非金属繊維としては、合成繊維、天然繊維、炭素繊維、ガラス繊維などが挙げられる。保護カバー６に非金属を含むことで、保護カバー６の可撓性を向上し易い。
【００６２】
保護カバー６は、シート材及びテープ材の少なくとも一方が接続部１０に巻き付けられて構成されることが挙げられる。シート材やテープ材は、接続部１０の外周にらせん状に巻き付けられることが挙げられる。この場合、シート材やテープ材は重ね巻きされることが好ましい。シート材で構成される保護カバー６は、幅広である。そのため、シート材で構成される保護カバー６は、一度に広範囲に亘って接続部１０を覆い易く、シート材の巻き付け作業を簡素化し易い。一方、テープ材で構成される保護カバー６は、シート材に比較して幅が狭い。そのため、テープ材で構成される保護カバー６は、接続部１０を小さな範囲ごとにテープ材で覆うことができ、テープ材の巻き付け具合を調整し易い。このテープ材の巻き付け具合を調整することで、接続部１０に保護カバー６を密着させ易く、保護カバー６の大型化を抑制し易い。また、テープ材の巻き付け具合を調整することで、接続部１０に対して保護カバー６を強固に被覆し易い。
【００６３】
保護カバー６は、メッシュ材で構成されることが挙げられる。保護カバー６がメッシュ材で構成されることで、保護カバー６の可撓性を向上し易い。メッシュの孔径や孔の数は、接続部１０を鼠の食害から保護でき、かつ保護カバー６の可撓性を向上できる程度に適宜選択できる。メッシュ材としては、多数本の金属細線を編み込んだ編組線や、パンチングメタルなどが挙げられる。この例では、保護カバー６は、編組線からなるメッシュ状のテープ材が接続部１０に巻き付けられて構成されている。
【００６４】
この例では、幹線ケーブル２に第一の保護層２５を備え、かつ分岐線ケーブル３に第二の保護層３５を備える。第一の保護層２５は、上述したように、絶縁被覆部５を設けた状態で、一端２５ａ及び他端２５ｂに絶縁被覆部５に覆われていない露出領域を有する。また、第二の保護層３５は、上述したように、絶縁被覆部５を設けた状態で、端部３５ａに絶縁被覆部５に覆われていない露出領域を有する。保護カバー６は、第一の保護層２５の一端２５ａ及び他端２５ｂの露出領域に電気的に接続されると共に、第二の保護層３５の端部３５ａの露出領域に電気的に接続される。この例では、保護カバー６は、第一の保護層２５の一端２５ａ及び第二の保護層３５の端部３５ａの各露出領域を一括して被覆する分岐側端部６ａと、第一の保護層２５の他端２５ｂの露出領域を被覆する基端側端部６ｂとを備える。保護カバー６に分岐側端部６ａと基端側端部６ｂとを備えることで、単一の保護カバー６によって、保護カバー６と第一の保護層２５と第二の保護層３５とを電気的に接続した状態で、接続部１０の外周を被覆することができる。
【００６５】
保護カバー６の端部は、固定部７により第一の保護層２５及び第二の保護層３５に固定される。この例では、固定部７は、分岐側固定部７ａと基端側固定部７ｂとを備える。分岐側固定部７ａは、保護カバー６の分岐側端部６ａを第一の保護層２５の一端２５ａ及び第二の保護層３５の端部３５ａに固定する。基端側固定部７ｂは、保護カバー６の基端側端部６ｂを第一の保護層２５の他端２５ｂに固定する。固定部７は、金属又は非金属を好適に利用できる。金属製の固定部７を用いる場合、保護カバー６を構成する金属材料と電食を起こさない材質が好適に利用できる。固定部７は、例えば、銅線を保護カバー６の端部の表面に巻き付け、その銅線を半田付することで形成できる。具体的には、分岐側固定部７ａは、保護カバー６の分岐側端部６ａを第一の保護層２５の一端２５ａ及び第二の保護層３５の端部３５ａ側に押し付けるように銅線を分岐側端部６ａの表面に巻き付け、その銅線を半田付けすることで形成できる。同様に、基端側固定部７ｂは、保護カバー６の基端側端部６ｂを第一の保護層２５の他端２５ｂに押し付けるように銅線を基端側端部６ｂの表面に巻き付け、その銅線を半田付けすることで形成できる。他に、非金属製の固定部７としては、樹脂製の結束バンドを利用してもよい。
【００６６】
なお、保護カバー６は、第一の保護層２５の一端２５ａと、第二の保護層３５の端部３５ａとを個別に被覆することもできる。その場合、保護カバー６は、第一の保護層２５の一端２５ａの露出領域を被覆する一端被覆部と、第一の保護層２５の他端２５ｂの露出領域を被覆する他端被覆部（基端側端部６ｂと同じ）と、第二の保護層３５の端部３５ａを被覆する分岐側被覆部とを備える。その場合、固定部７は、保護カバー６の端部ごとに個別に設ければよい。
【００６７】
≪押さえ部≫
この例では、保護カバー６の外周を被覆する押さえ部８を備える（図１）。押さえ部８は、保護カバー６を覆うように、幹線ケーブル２の外部シース２６と、分岐線ケーブル３の外部シース３６とに跨るように設けられている。押さえ部８を備えることで、保護カバー６を径方向内方に押し付けることができる。よって、保護カバー６の配置による接続部１０の外周の大型化を抑制し易い。押さえ部８は、例えば、ＰＶＣ、ノンハロゲン樹脂、又は難燃性に優れる絶縁性材料などで構成することが挙げられる。押さえ部８は、絶縁性材料で構成されるテープ材を巻き付けて構成されることが挙げられる。
【００６８】
≪樹脂モールド部≫
分岐付きケーブル１は、保護カバー６を覆う樹脂モールド部９を備える。この例では、樹脂モールド部９は、押さえ部８を介して保護カバー６を覆う。樹脂モールド部９は、幹線ケーブル２の外部シース２６と、分岐線ケーブル３の外部シース３６とに跨るように設けられている。樹脂モールド部９は、例えば、ＰＶＣ、ノンハロゲン樹脂、又は難燃性に優れる絶縁性材料などで構成することが挙げられる。樹脂モールド部９の材質や厚さは、所望の絶縁強度を考慮して適宜選択することができる。
【００６９】
≪分岐付きケーブルの製造方法≫
上述した分岐付きケーブル１は、例えば、幹線ケーブル２及び分岐線ケーブル３を用意する工程と、各ケーブル２，３の導体２１，３１を露出する工程と、第一の導体２１と第二の導体３１とを電気的に接続する工程と、接続部１０の外周を絶縁被覆部５で覆う工程と、絶縁被覆部５の外周を保護カバー６で覆う工程と、保護カバー６の外周を押さえ部８で覆う工程と、押さえ部８の外周を樹脂モールド部９で覆う工程とを経て製造できる。この分岐付きケーブル１は、工場で予め製造される。
【００７０】
〔幹線ケーブル及び分岐線ケーブルを用意する工程〕
上述した幹線ケーブル２と分岐線ケーブル３とをそれぞれ用意する。幹線ケーブル２は、所定の長さのものを用意する。分岐線ケーブル３は、所定の長さのものを、所定の本数分用意する。
【００７１】
〔第一の導体及び第二の導体を露出する工程〕
分岐付きケーブル１の配置箇所の電気配線図に基づき、第一の導体２１及び第二の導体３１を露出する（図２）。幹線ケーブル２は、長手方向の途中の分岐線ケーブル３との接続領域において、第一の導体２１を露出する。具体的には、幹線ケーブル２の上記接続領域において、外部シース２６、第一の保護層２５、ケーブルシース２４、介在層２３、及び第一の絶縁層２２を段階的に剥がし露出する。また、必要な本数の分岐線ケーブル３の各端部において、第二の導体３１を露出する。具体的には、分岐線ケーブル３の各端部において、外部シース３６、第二の保護層３５、ケーブルシース３４、介在層３３、及び第二の絶縁層３２を段階的に剥がし露出する。
【００７２】
〔第一の導体と第二の導体とを電気的に接続する工程〕
露出した第一の導体２１と第二の導体３１とを接触させ、圧縮部材４１を装着して圧縮接続する（図２）。この例では、圧縮部材４１で接続された第一の導体２１及び第二の導体３１を覆うように、第一の絶縁層２２と第二の絶縁層３２とに亘って絶縁性テープ材を巻き付けて絶縁部材４３を形成する。この第一の導体２１と第二の導体３１との電気的な接続及び絶縁部材４３の形成は、ケーブルコアごとに行う。
【００７３】
〔接続部の外周を絶縁被覆部で覆う工程〕
幹線ケーブル２の露出されたケーブルコア２０Ａ，２０Ｂと分岐線ケーブル３の露出されたケーブルコア３０Ａ，３０Ｂとを覆うように、絶縁被覆部５を形成する（図１）。絶縁被覆部５は、露出された第一の保護層２５と露出された第二の保護層３５とに亘って絶縁性テープ材を巻き付けて形成する。このとき、絶縁被覆部５は、第一の保護層２５の一端２５ａ及び他端２５ｂの一部に重なるように形成する。また、絶縁被覆部５は、第二の保護層３５の端部３５ａの一部に重なるように形成する。つまり、絶縁被覆部５は、第一の保護層２５の一端２５ａ及び他端２５ｂに露出領域を有し、かつ第二の保護層３５の端部３５ａにも露出領域を有するように形成する。この例では、絶縁被覆部５は、第一の保護層２５の一端２５ａ及び第二の保護層３５の端部３５ａを一括して被覆している。
【００７４】
〔絶縁被覆部の外周を保護カバーで覆う工程〕
絶縁被覆部５の外周を覆うように、保護カバー６を形成する（図１）。保護カバー６は、メッシュ状の金属テープを巻き付けて形成する。保護カバー６は、第一の保護層２５の一端２５ａ及び第二の保護層３５の端部３５ａの各露出領域を一括して被覆すると共に、第一の保護層２５の他端２５ｂの露出領域を被覆する。その後、保護カバー６の分岐側端部６ａを第一の保護層２５の一端２５ａ及び第二の保護層３５の端部３５ａ側に押し付けるように銅線を分岐側端部６ａの表面に巻き付け、その銅線を半田付けし（分岐側固定部７ａ）、保護カバー６の分岐側端部６ａを固定する。また、保護カバー６の基端側端部６ｂを第一の保護層２５の他端２５ｂに押し付けるように銅線を基端側端部６ｂの表面に巻き付け、その銅線を半田付けし（基端側固定部７ｂ）、保護カバー６の基端側端部６ｂを固定する。
【００７５】
〔保護カバーの外周を押さえ部で覆う工程〕
保護カバー６の外周を覆うように、押さえ部８を形成する（図１）。押さえ部８は、幹線ケーブル２の外部シース２６と分岐線ケーブル３の外部シース３６とに亘って絶縁性テープ材を巻き付けて形成する。
【００７６】
〔押さえ部の外周を樹脂モールド部で覆う工程〕
押さえ部８を覆うように、樹脂モールド部９を射出成形により成形する（図１）。樹脂モールド部９は、幹線ケーブル２の外部シース２６と、分岐線ケーブル３の外部シース３６とに跨るように成形する。具体的には、幹線ケーブル２の一方の外部シース２６と他方の外部シース２６、及び分岐線ケーブル３の外部シース３６に跨る範囲で保護カバー６の外周に金型を配置して、その金型内に樹脂モールド部９の構成樹脂を充填する。その後、樹脂を固化させたら、金型を取り外す。
【００７７】
≪効果≫
上記分岐付きケーブル１は、幹線ケーブル２と分岐線ケーブル３との接続部１０の外周に、金属を含む材料で構成される保護カバー６を備えるため、接続部１０を鼠の食害から保護できる。このとき、保護カバー６がテープ材を巻き付けて構成されることで、保護カバー６を接続部１０に密着させ易く、保護カバー６の大型化を抑制し易い。また、保護カバー６がメッシュ材で構成されることで、保護カバー６の可撓性を向上し易く、保護カバー６を接続部１０の外周に巻き付け易い。
【００７８】
上記分岐付きケーブル１では、保護カバー６は、第一の保護層２５の一端２５ａ及び第二の保護層３５の端部３５ａを一括して被覆すると共に、第一の保護層２５の他端２５ｂを被覆する。この構成によれば、単一の保護カバー６によって、保護カバー６と第一の保護層２５と第二の保護層３５とを電気的に接続した状態で、接続部１０の外周を被覆することができる。保護カバー６と第一の保護層２５と第二の保護層３５とが電気的に接続されることで、保護カバー６と第一の保護層２５と第二の保護層３５とを等電位にでき、保護カバー６と第一の保護層２５と第二の保護層３５のいずれかを接地することで、全ての保護層及び保護カバー６を接地できる。また、単一の保護カバー６で接続部１０を被覆できることで、作業性に優れる。
【００７９】
＜変形例１−１＞
上述した分岐付きケーブルにおいて、押さえ部８（図１）を省略することができる。この分岐付きケーブルでは、樹脂モールド部は、保護カバーに直接的に接触する。樹脂モールド部が保護カバーに直接的に接触していることで、樹脂モールド部を保護カバーに直接的に固定できる。このとき、保護カバーがメッシュ材で構成される場合、樹脂モールド部の構成樹脂の一部がメッシュの孔に入り込む。そのため、樹脂モールド部を保護カバーに強固に固定できる。樹脂モールド部を保護カバーに強固に固定できることで、樹脂モールド部を過度に厚くする必要がないため、樹脂モールド部の大型化を抑制し易い。メッシュの孔に入り込んだ樹脂は、更に保護カバーの内側の空隙にまで入り込んで設けられていてもよい。それにより、接続部内の空隙を小さくし、電気的に優れた接続部を構成し易い。
【００８０】
＜実施形態２＞
実施形態２では、幹線ケーブル２の第一の導体２１と、分岐線ケーブル３の第二の導体３１とが、互いに異種金属からなる形態を説明する。第一の導体２１と第二の導体３１とが互いに異種金属からなる場合、第一の導体２１と第二の導体３１との接続部分に水分が浸入すると、電気腐食（電食）が生じ得る。そこで、第一の導体２１と第二の導体３１とが互いに異種金属からなる場合、第一の導体２１と第二の導体３１との間に電食防止構造を備えることが挙げられる。実施形態２では、この電食防止構造を図４及び図５に基づいて説明する。実施形態２に係る分岐付きケーブルは、第一の導体２１と第二の導体３１とが互いに異種金属からなり、両導体２１，３１間に電食防止構造を備える点が実施形態１の分岐付きケーブル１と異なり、それ以外の構成については、実施形態１に係る分岐付きケーブル１と同様である。
【００８１】
第一の導体２１と第二の導体３１とが互いに異種金属からなる形態として、第一の導体２１が、アルミニウム又はアルミニウム合金からなり、第二の導体３１が、銅又は銅合金からなることが挙げられる。第一の導体２１がアルミニウム又はアルミニウム合金からなると、幹線ケーブル２を軽量化でき、分岐付きケーブル自体を軽量化できる。一方、第二の導体３１が銅又は銅合金からなると、分岐先での端末処理が行い易い。
【００８２】
第一の導体２１を構成するアルミニウム（Ａｌ）としては、純度が９９質量％以上の純Ａｌが利用できる。また、第一の導体２１を構成するアルミニウム（Ａｌ）合金としては、添加元素を含有し、残部がＡｌ及び不可避的不純物からなる種々の組成のものが利用できる。添加元素は、例えば、Ｆｅ、Ｍｇ、Ｓｉ、Ｃｕ、亜鉛（Ｚｎ）、Ｎｉ、マンガン（Ｍｎ）、Ａｇ、Ｃｒ、ジルコニウム（Ｚｒ）などから選択される１種以上が挙げられる。添加元素の合計含有量は、０．００５質量％以上３．０質量％以下、更に０．０５質量％以上１．５質量％以下が挙げられる。各元素の含有量としては、Ｆｅが０．００５質量％以上１．５質量％以下、Ｍｇが０．００５質量％以上１．０質量％以下などが挙げられる。このようなＡｌ合金としては、例えば、Ａｌ−Ｆｅ合金、Ａｌ−Ｆｅ−Ｍｇ合金、Ａｌ−Ｆｅ−Ｓｉ合金、Ａｌ−Ｆｅ−Ｍｇ−（Ｍｎ，Ｎｉ，Ｚｒ，Ａｇ）合金、Ａｌ−Ｆｅ−Ｃｕ合金、Ａｌ−Ｆｅ−Ｃｕ−（Ｍｇ，Ｓｉ）合金、Ａｌ−Ｍｇ−Ｓｉ−Ｃｕ合金などが挙げられる。
【００８３】
第二の導体３１を構成する銅又は銅合金は、実施形態１の第一の導体２１及び第二の導体３１と同様の銅又は銅合金を利用できる。
【００８４】
電食防止構造として、図５に示すように、導体接続部４が、第一の導体２１と第二の導体３１との間に介在される介在部材４２を備えることが挙げられる。介在部材４２は、第一の導体２１との接触面４２ｍ（図４）が、第二の導体３１の構成金属と異なる金属からなる。具体的には、介在部材４２における第一の導体２１との接触面４２ｍは、第一の導体２１に対して第二の導体３１よりも電食し難い金属からなる。また、介在部材４２は、第二の導体３１との接触面４２ｎ（図４）が、第一の導体２１の構成金属と異なる金属からなる。具体的には、介在部材４２における第二の導体３１との接触面４２ｎは、第二の導体３１に対して第一の導体２１よりも電食し難い金属からなる。つまり、介在部材４２は、第一の導体２１と第二の導体３１との間に生じ得る電食を防止すると共に、第一の導体２１と介在部材４２との間に生じ得る電食を防止し、かつ第二の導体３１と介在部材４２との間に生じ得る電食を防止する。
【００８５】
介在部材４２は、例えば、第一の導体２１及び第二の導体３１の少なくとも一方の外周に巻き付けられるシート材やテープ材で構成されることが挙げられる。この例では、介在部材４２は、第一の導体２１の外周に巻き付けられるシート材で構成される。介在部材４２は、例えば、Ｓｎ又はＳｎ合金からなることが挙げられる。介在部材４２がＳｎ又はＳｎ合金からなると、第一の導体２１と第二の導体３１との間に生じ得る電食を防止できると共に、第一の導体２１と介在部材４２との間に生じ得る電食を防止でき、かつ第二の導体３１と介在部材４２との間に生じ得る電食を防止できる。また、Ｓｎ又はＳｎ合金は比較的柔らかいため、介在部材４２を第一の導体２１の外周に巻き付け易い。介在部材４２は、第二の導体３１の外周に巻き付けられてもよい。
【００８６】
導体接続部４に介在部材４２を備える形態では、第一の導体２１の外周に介在部材４２を巻き付け、その介在部材４２を介して第一の導体２１と第二の導体３１とを接触させて、両導体２１，３１を圧縮部材４１で圧縮接続すればよい。
【符号の説明】
【００８７】
１  分岐付きケーブル
１０  接続部
２  幹線ケーブル
２０Ａ，２０Ｂ  ケーブルコア
２１  第一の導体
２２  第一の絶縁層
２３  介在層
２４  ケーブルシース
２５  第一の保護層
２５ａ  一端
２５ｂ  他端
２６  外部シース
３  分岐線ケーブル
３０Ａ，３０Ｂ  ケーブルコア
３１  第二の導体
３２  第二の絶縁層
３３  介在層
３４  ケーブルシース
３５  第二の保護層
３５ａ  端部
３６  外部シース
４  導体接続部
４１  圧縮部材
４２  介在部材
４２ｍ，４２ｎ  接触面
４３  絶縁部材
５  絶縁被覆部
６  保護カバー
６ａ  分岐側端部
６ｂ  基端側端部
７  固定部
７ａ  分岐側固定部
７ｂ  基端側固定部
８  押さえ部
９  樹脂モールド部
【図１】
2020028205.tif 000003
【図２】
2020028205.tif 000004
【図３】
2020028205.tif 000005
【図４】
2020028205.tif 000006
【図５】
2020028205.tif 000007